(57)【特許請求の範囲】
【請求項１】
排紙部に搬送されてくるシートをガイドするためのシートガイドを備えた枚葉印刷機のシート案内装置において、
前記シートガイドは、上面がシート案内面であるボックス状に形成され、装置横幅方向で３個の区域に分かれた空気ダクトであり、
前記幅方向の中央に位置する空気ダクトの上側表面には、幅方向の中央から幅方向の各端側へ向かって空気を吐出する空気吐出ノズルが設けられ、前記空気吐出ノズルは略三角錐形状の凹部であって、中央側の壁面およびシート走行方向の前後に位置する壁面によって形成されており、中央側の壁面に圧縮空気の通過する開口部が設けられていると共に、シート走行方向の前後に位置する壁面が中央側から幅端側へ向かって徐々に立ち上がる傾斜面で、かつ幅端側先端が鋭角の平面三角形状に形成され、
前記幅方向の両端に位置する空気ダクトの上側表面には、複数の孔または複数のスリットで構成され、幅方向の中央から幅方向の各端側に流れてくる空気を吸引する空気吸引ノズルが設けられ、
前記空気ダクトに接続され、前記空気吸引ノズルで吸引した空気を前記空気吐出ノズルが設けられた空気ダクトへ循環させる空気循環装置が配設されていることを特徴とする枚葉印刷機のシート案内装置。
【発明の詳細な説明】
【０００１】
【発明の属する技術分野】
本発明は、枚葉印刷機の排紙部に設備し、シートを安定的に移送するシート案内装置に関するものである。
【０００２】
【従来の技術】
従来の枚葉印刷機のシート案内装置としては、例えば図９〜図１１に示すものが提案されている。すなわち、図９及び図１０は枚葉印刷機に設備されたシート案内装置の構成、機能を示す説明図、図１１は一般的な枚葉印刷機における排紙部の構成を示す説明図である。
【０００３】
多色印刷を施す枚葉印刷機は、図１１に示す如く、主なユニット（構成要素）として給紙部（図示せず）、複数組の印刷装置１６〜１６ｎ及び排紙部Ｒ等によって構成されている。
このような枚葉印刷機において、給紙部から一枚ずつ送り出されたシート２は、複数組の印刷装置１６〜１６ｎを順次経由する過程で所定色の印刷が施され、図１１に示す如く、中間胴１７を介して最終印刷装置１６ｎのブランケット胴１８と圧胴１９の中間へ送り込まれて全ての印刷が完了する。なお、図１１において、４０はブランケット胴１８の上方に配設され、これと係合する版胴である。
【０００４】
上記印刷を終えたシート２は、圧胴１９から排紙軸１３の部分（排紙部Ｒ側）へ受け渡される。つまり、このシート２は、排紙軸１３を巻回して走行するエンドレスチェン２０のチェングリッパ２１へ引き渡され、該チェングリッパ２１によって前端が把持された状態で排紙部Ｒにおいて前方へ移送され、その後、順次排紙部Ｒの積重テーブル２２上に積重されることになる。また、排紙部Ｒには、チェングリッパ２１から落下投入するシート２の走行速度を制動すべく機能する真空車２３が配設されている。
【０００５】
ところで、通常、枚葉印刷機において印刷を施すシート２には、厚さ０．０４ｍｍ位の薄紙から１．０ｍｍ程度の厚紙があり、また金属板で形成された剛性の高いシート等、仕様として種々多様なものがある。
このため、シート２の移送に際して、一般的に、薄紙等の剛性の低いシート２では、移送方向の後端でばたつきが発生し、また厚紙等の剛性の高いシート２では、シートガイド２４（図９参照）の湾曲部での移送に伴う遠心力とシート自身の曲げに対する復元力によって、当該シート２の後端がシートガイド２４から離れ、エンドレスチェン２０等の移送手段やその他の周辺部へ激突することが起こる。つまり、紙はねが発生する傾向がある。
【０００６】
前記紙のばたつきや紙はねは、シート２の印刷施行面の汚れ、シート２の折れ変形や傷を発生させるものであり、印刷シート２の品質を著しく低下させる要因となっている。
その他、最終印刷が完了した直後のシート２は、インキの乾燥状態が不完全であるため、積重テーブル２２上に積み重ねられた場合、シート２とシート２との積重、或いは相対的ズレによって裏移りが発生し、印刷面の品質を低下させるという問題がある。
【０００７】
この問題に対処すべく、従来より、例えば図９に示す如く、排紙軸１３の下流側においてパウダースプレーノズル１２を配置し、該ノズル１２からシート２の印刷面へパウダー（粉）４１を噴射することによって、シート２の裏側と印刷されたインキの貼着を防止する方法が採られている。
【０００８】
ところで、シート２の搬送状態を安定させる手段、つまりシート案内装置として、今日、種々の形式のものが提案されている。
まず、図９に例示したシート案内装置では、シート２を把持して移送するチェングリッパ２１の走行経路下方において、排紙軸１３の部分からシート積重装置の入口に配設した真空車２３へ至る間の立ち上がり部にプレート状のシートガイド２４が配設されている。なお、上記排紙軸１３の直下部のシートガイド２４には複数個の空気吸入孔２５が穿設され、該空気吸入孔２５を穿設したシートガイド２４の下面には真空吸引ボックス２６が配設されている。
【０００９】
一方、上記シート案内装置には、走行するシート２の上方に位置して複数組の送風ファン２７が配置されていると共に、排紙軸１３の近傍にパウダースプレーノズル１２と集塵ノズル２８が互いに近接して並設されている。
また、上記真空吸引ボックス２６及び上記集塵ノズル２８は、配管２９ａ，２９ｂを介して配管２９に合流させた後、重力降下式フィルタ９に連結され、更にフィルタ１０を経由してエアポンプ１１に接続されている。
【００１０】
上記構成のもと、最終印刷装置１６ｎの圧胴１９からエンドレスチェン２０のチェングリッパ２１へ受け渡されたシート２は移送の途上で、送風ファン２７群からの空気吹き付けによって、遠心力や曲げに対するシート２の復元力等に起因したシート２の浮き上がりが規制されると共に、パウダースプレーノズル１２からパウダー４１がシート２の印刷面に噴射される。
【００１１】
なお、上記パウダースプレーノズル１２から吹き付けられたパウダー４１の一部は、図９の矢印で示す如く、並設した集塵ノズル２８によって回収される。また、回収されなかったパウダー４１の一部はシートガイド２４に沿って下方へ落下し、空気吸入孔２５から真空吸引ボックス２６内へ回収された後、集塵機、つまり重力降下式フィルタ９とフィルタ１０へ順次送られ、浄化された空気となってエアポンプ１１を介して大気中へ放出されることになる。
【００１２】
このように構成された枚葉印刷機のシート案内装置においては、前述の如く、排紙部Ｒの立ち上がり部にて発生するシート２のばたつきと遠心力等によるシート２の浮き上がりを規制しコントロールする手段として、送風ファン２７によるエアの吹き付け力を利用したものであるから、次のような種々の問題があった。
（１）  送風ファン２７による空気流が安定化しない状態（乱気流）の下でパウダー４１を噴出させているため、シート２の面へのパウダー４１の付着効率が悪く、一旦付着したパウダー４１も送風ファン２７からのエアで吹き飛ばされ、パウダー４１の消費量が増大してしまうという欠点がある。また、飛散したパウダー４１は不安定な空気流により散乱して集塵効率も悪くなり、この結果、装置周辺に飛散することになる。
（２）  上記により、装置周辺に飛散するパウダー４１の量が多くなるため、印刷現場の作業環境が著しく悪化するという欠点がある。
【００１３】
次に、図１０に例示したシート案内装置では、シート２を把持して移送するチェングリッパ２１の走行経路下方において、排紙軸１３の部分からシート積重装置の入口に配設した真空車２３へ至る間、つまり立ち上がり部にボックス状のシートガイド３０が配設されている。このシートガイド３０の内部へは、エアポンプ１１から配管３１を介して圧縮空気Ａが吹き込めるようになっている。
【００１４】
一方、上記シート２の移送経路に沿ったシートガイド３０の上面（ガイド面）には、複数個の空気吐出ノズル３が配設されている。空気吐出ノズル３は、高速の空気流がシートガイド３０のガイド面に沿って排紙軸１３側へ、或いは当該シートガイド３０のガイド面に沿って真空車２３側へ流れるように方向が設定されている。また、移送するシート２の上方に位置し、かつ排紙軸１３に近接した箇所には、パウダースプレーノズル１２が配置されている。
【００１５】
上記構成のもと、最終印刷装置１６ｎの圧胴１９からエンドレスチェン２０のチェングリッパ２１へ受け渡されたシート２は、移送の途上で、パウダースプレーノズル１２からパウダー４１が噴射されると共に、シートガイド３０のガイド面における空気吐出ノズル３から吐出する高速空気流によって、上記ガイド面側へ引き付けられ、遠心力や曲げに対するシート２の復元力等に起因したシート２の浮き上がりが規制される。
【００１６】
なお、シート２の引き付け力及びシートガイド３０のガイド面に接近しすぎた場合の押出し力は、吐出する空気Ａの流速を変え、走行するシート２とシートガイド３０のガイド面に発生する圧力を上下させることにより、ある程度任意に調整し得るものであり、これによって種々の剛性のシート２に対応できるようになっている。
【００１７】
このように構成された枚葉印刷機のシート案内装置においては、前述の如く、排紙部Ｒの立ち上がり部にて発生する遠心力等による浮き上がり等を規制しコントロールする手段として、シート２の下面に発生する空気流の流速差に伴う圧力（負圧）、すなわちシート２の引き付け力を利用したものであるから、シート２の走行安定性において、所定の機能を得ることができる。
【００１８】
【発明が解決しようとする課題】
しかしながら、上述した従来のシート案内装置では、次のような問題を有している。
（１）  パウダースプレーノズル１２から噴射したパウダー４１の多くは、シートガイド３０からのガイド用空気噴流によって、機械の周辺に飛散し、印刷現場の環境を著しく低下させることになる。このため、機械に集塵機を取付けて、パウダー４１や紙粉等の回収を図る必要性があり、構造上２台のポンプが必要となることから設備費が高騰するおそれがある。
（２）  しかも、広範囲に飛散するパウダー４１等を回収するに当たっては、取付けた集塵機が十分に機能せず、印刷現場の作業環境を良好に改善することが困難である。
【００１９】
本発明はこのような実状に鑑みてなされたものであり、その目的は、排紙部におけるシートのばたつきや浮き上がりを防止し、印刷品質向上のために必要なパウダーなどの粉塵を確実に回収することができ、かつ設備費の高騰を招来することがない枚葉印刷機のシート案内装置を提供することにある。
【００２０】
【課題を解決するための手段】
上記従来技術の有する課題を解決するために、本発明は、排紙部に搬送されてくるシートをガイドするためのシートガイドを備えた枚葉印刷機のシート案内装置において、
前記シートガイドは、上面がシート案内面であるボックス状に形成され、装置横幅方向で３個の区域に分かれた空気ダクトであり、
前記幅方向の中央に位置する空気ダクトの上側表面には、幅方向の中央から幅方向の各端側へ向かって空気を吐出する空気吐出ノズルが設けられ、前記空気吐出ノズルは略三角錐形状の凹部であって、中央側の壁面およびシート走行方向の前後に位置する壁面によって形成されており、中央側の壁面に圧縮空気の通過する開口部が設けられていると共に、シート走行方向の前後に位置する壁面が中央側から幅端側へ向かって徐々に立ち上がる傾斜面で、かつ幅端側先端が鋭角の平面三角形状に形成され、
前記幅方向の両端に位置する空気ダクトの上側表面には、複数の孔または複数のスリットで構成され、幅方向の中央から幅方向の各端側に流れてくる空気を吸引する空気吸引ノズルが設けられ、
前記空気ダクトに接続され、前記空気吸引ノズルで吸引した空気を前記空気吐出ノズルが設けられた空気ダクトへ循環させる空気循環装置が配設されている。
【００２１】
【発明の実施の形態】
以下、本発明を図示の実施の形態に基づいて詳細に説明する。ただし、従来例で示した構成要素と共通する要素には同一の符号を付して、その説明を簡略化する。ここで、図１〜図５は枚葉印刷機に設備された本発明の第１実施形態に係るシート案内装置を説明するものであり、図１はその斜視図、図２はその概略構成図、図３及び図４は要部の詳細図、図５はその側面図を示している。
【００２２】
第１実施形態に係る枚葉印刷機のシート案内装置は、図１及び図２に示す如く、排紙部Ｒに順次搬送されてくるシート２をガイドするためのシートガイド１００を備えたものであって、シートガイド１００には、これを装置横幅方向（シート２の搬送方向に対して左右の幅方向）で３個の区域に分割した独立の空気ダクトが設けられ、つまり幅方向の中央部に位置する空気吐出ダクト１と、幅方向の両端部に位置する空気吸入ダクト４ａ，４ｂとを有しており、空気吐出ダクト１の上側表面には、幅方向の中央部から幅方向の各端部側へ向かって空気を吐出する空気吐出ノズル３が設けられており、空気吸入ダクト４ａ，４ｂには、幅方向の中央部から幅方向の各端部側に流れてくる空気を吸引する空気吸引ノズル（孔５或いはスリット６）が設けられており、孔５或いはスリット６で吸引した空気を空気吐出ノズル３が設けられた空気吐出ダクト１へ循環させる空気循環装置Ｐが配設されている。
【００２３】
すなわち、本実施形態の枚葉印刷機のシート案内装置は、枚葉印刷機の排紙部Ｒにおいて、搬送するシート２のシートガイド１００を機械横幅方向（図２においてシート２の左右方向、又は図１１において紙面に直交する方向）で３個の区域に分割し、各々が独立した空気ダクト、つまり空気吐出ダクト１、空気吸入ダクト４ａ，４ｂとして構成されている。
【００２４】
上記中央部に位置する空気吐出ダクト１は、図２に示す如く、搬送するシート２の最大横幅に対応する横幅を有し、当該空気吐出ダクト１の上側表面には、図３に示す如く、機械中心Ｃを境にして両幅端側へ向かって圧縮空気Ａを吐出させることが可能な複数個の空気吐出ノズル３が間隔を置いて２個ずつ対に並べて配設されている。すなわち、空気吐出ノズル３は、機械中心Ｃに対して直交する方向へ圧縮空気Ａを吐出するようになっている。このため、空気吐出ノズル３は、図１及び図２に示す如く、略三角錐形状の凹部であって、中央側の壁面およびシート走行方向の前後に位置する壁面によって形成されており、中央側の壁面に圧縮空気Ａの通過する開口部３ａが設けられていると共に、シート走行方向の前後に位置する壁面が中央側から幅端側へ向かって徐々に立ち上がる傾斜面で、かつ幅端側先端が鋭角の平面三角形状に形成されている。
【００２５】
また、上記両幅端に位置する空気吸入ダクト４ａ，４ｂの上側表面には、一例として図４（ａ）に示す如き複数個の孔５、或いは図４（ｂ）に示す如き複数本のスリット６が穿設されており、これら孔５又はスリット６を介して幅端部側へ流れてくる圧縮空気Ａを吸引するようになっている。また、両幅端の各空気吸入ダクト４ａ，４ｂの底部には、管継手７ａ，７ｂがそれぞれ対応して形成されている。そして、これら管継手７ａ，７ｂは、それぞれ吸入管８ａ，８ｂを介して吸入管８に合流させた後、重力降下式フィルタ９に接続され、更にフィルタ１０及びエアポンプ１１を経て前記中央に位置する空気吐出ダクト１の底部に形成した管継手７に吐出管３１を介して連結され、これによって空気循環系統（空気循環装置）Ｐが構成されている。なお、図５において、１２はシート案内装置である空気吐出ダクト１の上方で、かつ排紙軸１３に近接した位置に設備されているパウダースプレーノズルであり、該ノズル１２からパウダー４１が噴射されるようになっている。
【００２６】
上記のように構成された本実施形態の枚葉印刷機のシート案内装置において、エアポンプ１１を作動させると、図２及び図３の矢印で示す如く、空気吐出ダクト１の空気吐出ノズル３群より圧縮空気Ａが横方向に吐き出され、搬送するシート２の走行方向と直角方向の両側へ流出する。
その後、流出した上記圧縮空気Ａは、両幅端に配設した空気吸入ダクト４ａ，４ｂの上側表面に形成した孔５或いはスリット６から吸入され、さらに重力降下式フィルタ９、フィルタ１０を経て元のエアポンプ１１へ送り返され、再度中央の空気吐出ダクト１へと循環される。
【００２７】
上記重力降下式フィルタ９では、空気吸入ダクト４ａ，４ｂによって回収した粉塵のうち、重量の重いものだけが下降して除去されるようになっている。また、重力降下式フィルタ９において回収しきれなかった微細な粒子は、次工程のフィルタ１０によって除去されるようになっている。
上記フィルタ９，１０の機能により、エアポンプ１１からは浄化された状態の空気が送り出されることになる。
【００２８】
本第１実施形態に係る枚葉印刷機のシート案内装置は、以上の如く構成され、かつ機能するものであるから、次のような種々の効果を得ることができるようになった。
（１）  排紙部Ｒ内において、空気の循環流を形成するため、空気の乱れが少なく、安定したシート２の搬送を行うことができる。
（２）  上記空気流の安定化により、シート２の上面におけるパウダー４１の付着状態のコントロールが可能となる。
（３）  排紙部Ｒ内に空気の循環流を形成するため、当該排紙部Ｒ内へ飛散するパウダー４１を効率的に回収できる。
（４）  外部からシートガイドに空気を供給するような従来の方式と比較してエネルギー効率が高く、電気代の節約が図れる。
（５）  本実施形態のシートガイド１００がエアによるシート２のガイドと集塵機とを一体化した構造となっているため、初期の製造原価（設備費）を低減させることができる。
（６）  パウダー４１、紙粉等の散乱量が減少し、印刷現場の作業環境が良好になる。
【００２９】
また、図６及び図７は枚葉印刷機に設備された本発明の第２実施形態に係るシート案内装置を説明するものであり、図６はその要部断面図、図７はその要部斜視図を示している。ただし、従来例及び第１実施形態で示す構成要素と共通する要素には同一の符号を付し、その説明を省略する。
【００３０】
第２実施形態に係る枚葉印刷機のシート案内装置では、図６に示す如く、シートガイド１００が装置横幅方向において３個の区域に分割され、各々独立した空気吐出ダクト１及び空気吸入ダクト４ａ，４ｂとして構成されており、空気循環装置Ｐを介して中央部に位置する空気吐出ダクト１の空気吐出ノズル３から圧縮空気Ａを吐出させ、両幅端部に配置した空気吸入ダクト４ａ，４ｂの孔５或いはスリット６から空気Ａを吸入して循環させるといった一連の構成及び機能は前記第１実施形態と同様である。
【００３１】
本実施形態の枚葉印刷機のシート案内装置においては、機械横方向側端部に設置した空気吸入ダクト４ａ，４ｂの形状が変更されており、図７に示す如く、吸引口として設けた空気吸入ダクト４ａ，４ｂの上側表面に穿設する孔５或いはスリット６等に追加して、各空気吸入ダクト４ａ，４ｂの上側表面にこれと所定の間隔をおいて突出させた空気吸引用補助ダクト１４が設けられ、該空気吸引用補助ダクト１４によって各幅端部側に流れてきた空気Ａを集めて孔５或いはスリット６に案内するよう構成されている。
例示した空気吸引用補助ダクト１４は、機械中心Ｃに向かう側板を開口した箱形として形成されている。
【００３２】
上記のように構成された本実施形態の枚葉印刷機のシート案内装置において、空気循環装置Ｐを介して空気吐出ダクト１の空気吐出ノズル３より吐出した空気Ａを両幅端部に配設した空気吸入ダクト４ａ，４ｂ内へ吸引するに際して、高速度の境界層流をより効率的に吸入させることができる。
したがって、機械中心Ｃから両幅端部に流れてくる空気Ａの全体を空気吸引用補助ダクト１４によって集めて、各空気吸入ダクト４ａ，４ｂに導くことが可能となるので、極めて効率良く集塵することができる。
【００３３】
以上、本発明の実施の形態につき述べたが、本発明は既述の実施の形態に限定されるものではなく、本発明の要旨を逸脱しない範囲において種々の変形及び変更を加え得るものである。例えば、第２実施形態で示した空気吸引用補助ダクト１４を図８に示す空気吸引用補助ダクト１５に置き換えることができる。この空気吸引用補助ダクト１５は、各空気吸入ダクト４ａ，４ｂの上側表面に突出する部分が機械中心Ｃへ向かって斜め上方に傾いており、より広い範囲の空気Ａを効率良く集めることができるとともに、ダクトを構成する材料費の軽減及びコンパクト化に寄与し得るようになっている。
【００３４】
【発明の効果】
上述の如く、本発明に係る枚葉印刷機のシート案内装置は、排紙部に搬送されてくるシートをガイドするためのシートガイドを備えたものであって、前記シートガイドは、上面がシート案内面であるボックス状に形成され、装置横幅方向で３個の区域に分かれた空気ダクトであり、前記幅方向の中央に位置する空気ダクトの上側表面には、幅方向の中央から幅方向の各端側へ向かって空気を吐出する空気吐出ノズルが設けられ、前記空気吐出ノズルは略三角錐形状の凹部であって、中央側の壁面およびシート走行方向の前後に位置する壁面によって形成されており、中央側の壁面に圧縮空気の通過する開口部が設けられていると共に、シート走行方向の前後に位置する壁面が中央側から幅端側へ向かって徐々に立ち上がる傾斜面で、かつ幅端側先端が鋭角の平面三角形状に形成され、前記幅方向の両端に位置する空気ダクトの上側表面には、複数の孔または複数のスリットで構成され、幅方向の中央から幅方向の各端側に流れてくる空気を吸引する空気吸引ノズルが設けられ、前記空気ダクトに接続され、前記空気吸引ノズルで吸引した空気を前記空気吐出ノズルが設けられた空気ダクトへ循環させる空気循環装置が配設されているので、以下のような効果が得られる。
すなわち、本発明によれば、空気が幅方向の中央に位置する空気ダクトの中央側から幅方向の両端へ向けて安定的に流れるから、排紙部におけるシートのばたつきや浮き上がりを防止することができ、シートの搬送の安定化を図ることができる。
また、幅方向の両端側に移動した空気は、幅方向の両端に位置する空気ダクトに設けられた空気吸引ノズルによって、周囲の空気の流れを乱すことなく即座に吸引することができるから、例えば印刷品質向上のためにシートにパウダーを噴射させた場合でも、このパウダーや紙粉などの粉塵を周囲に飛散させることなく確実に回収することができる。したがって、印刷現場の作業環境を良好に改善することができる。
【００３５】
そして、上記のようにシートの搬送が安定化するから、シートの上面におけるパウダー付着状態を簡単にコントロールすることができるようになる。
また、シートガイドがエアによるシートのガイドと集塵機とを一体化したもので構成されているから、設備費の低減を図ることができる。
しかも、空気循環装置によって、空気吸引ノズルで吸引した空気を空気吐出ノズルへ再び供給することができるから、空気循環装置に設けるポンプとしては一つで済むことになる。したがって、吸入ポンプと、吐出ポンプの２つのポンプを設ける必要がないから、設備費の高騰を防ぐことができる。
【図面の簡単な説明】
【図１】本発明の第１実施形態に係る枚葉印刷機のシート案内装置を説明するものであって、シートガイドを示す斜視図である。
【図２】上記枚葉印刷機のシート案内装置の概略構成を説明するものであって、図１におけるＡ−Ａ線に沿う断面で表したシートガイド及び空気循環装置を示す概念図である。
【図３】上記枚葉印刷機のシート案内装置を説明するものであって、シートガイドの要部を示す断面図である。
【図４】上記枚葉印刷機のシート案内装置を説明するものであって、（ａ）は空気吸入ダクトに設けられた空気吸引ノズルの一例として示す孔の平面図であり、（ｂ）は同空気吸引ノズルの一例として示すスリットの平面図である。
【図５】上記枚葉印刷機のシート案内装置を示す側面図である。
【図６】本発明の第２実施形態に係る枚葉印刷機のシート案内装置を説明するものであって、シートガイドの一部を示す断面図である。
【図７】上記枚葉印刷機のシート案内装置を説明するものであって、シートガイドの一部を示す斜視図である。
【図８】上記枚葉印刷機のシート案内装置におけるシートガイドの変形例を示す断面図である。
【図９】従来の枚葉印刷機のシート案内装置を示す側面図である。
【図１０】他の従来の枚葉印刷機のシート案内装置を示す側面図である。
【図１１】従来の一般的な枚葉印刷機のシート案内装置を示す要部側面図である。
【符号の説明】
１  空気吐出ダクト
２  シート
３  空気吐出ノズル
４ａ，４ｂ  空気吸入ダクト
５  空気吸引ノズル（孔）
６  空気吸引ノズル（スリット）
７  管継手
８  吸入管
９  重力降下式フィルタ
１０  フィルタ
１１  エアポンプ
１２  パウダースプレーノズル
１３  排紙軸
１４，１５  空気吸引用補助ダクト
４１  パウダー
１００  シートガイド
Ｃ  機械中心
Ｐ  空気循環装置
Ｒ  排紙部
【図１】
0003556816.tif 000002
【図２】
0003556816.tif 000003
【図３】
0003556816.tif 000004
【図４】
0003556816.tif 000005
【図５】
0003556816.tif 000006
【図６】
0003556816.tif 000007
【図７】
0003556816.tif 000008
【図８】
0003556816.tif 000009
【図９】
0003556816.tif 000010
【図１０】
0003556816.tif 000011
【図１１】
0003556816.tif 000012